(57)【要約】【課題】冷却対象を効率よく冷却できるプロジェクターを提供すること。【解決手段】プロジェクターは、光源装置と、光源装置から出射された光によって画像を形成する画像形成装置と、画像形成装置により形成された画像を投射する投射光学装置と、互いに対向する第１面及び第２面を有する冷却対象において、第１面に位置する冷却部位に、第１面の一端側から他端側に向かう第１方向に沿って冷却風を流通させる冷却装置と、冷却部位に対して第１方向とは反対方向側に位置し、冷却風に乱流を発生させる乱流発生部と、を備え、乱流発生部は、第１面の延長面より第２面側に位置する傾斜基点から第１方向に向かうに従って第１面に近接する方向に傾斜する傾斜面と、傾斜面に位置し、第１方向に直交する第２方向に沿って配列された複数の凹部と、を有し、画像形成装置は、冷却対象としての光学部品を有する。【選択図】図５
2017219784.tif 000002
【特許請求の範囲】
【請求項１】
光源装置と、
前記光源装置から出射された光によって画像を形成する画像形成装置と、
前記画像形成装置により形成された前記画像を投射する投射光学装置と、
互いに対向する第１面及び第２面を有する冷却対象において、前記第１面に位置する冷却部位に、前記第１面の一端側から他端側に向かう第１方向に沿って冷却風を流通させる冷却装置と、
前記冷却部位に対して前記第１方向とは反対方向側に位置し、前記冷却風に乱流を発生させる乱流発生部と、を備え、
前記乱流発生部は、
前記第１面の延長面より前記第２面側に位置する傾斜基点から前記第１方向に向かうに従って前記第１面に近接する方向に傾斜する傾斜面と、
前記傾斜面に位置し、前記第１方向に直交する第２方向に沿って配列された複数の凹部と、を有し、
前記画像形成装置は、前記冷却対象としての光学部品を有することを特徴とするプロジェクター。
【請求項２】
請求項１に記載のプロジェクターにおいて、
前記複数の凹部は、それぞれ少なくとも一部が前記傾斜面における前記第１方向側の端部より前記第１方向とは反対方向側に位置することを特徴とするプロジェクター。
【請求項３】
請求項２に記載のプロジェクターにおいて、
前記乱流発生部は、前記第１面と同一平面上に位置し、前記傾斜面と交差する交差面を有し、
前記複数の凹部は、前記傾斜面と前記交差面との交差部位に跨って形成されていることを特徴とするプロジェクター。
【請求項４】
請求項１から請求項３のいずれか一項に記載のプロジェクターにおいて、
前記複数の凹部のそれぞれの前記第１方向における内径寸法は、前記第２方向における内径寸法より大きいことを特徴とするプロジェクター。
【請求項５】
請求項４に記載のプロジェクターにおいて、
前記複数の凹部は、楕円形状及び長円形状のいずれかであることを特徴とするプロジェクター。
【請求項６】
請求項１から請求項５のいずれか一項に記載のプロジェクターにおいて、
前記光学部品は、
光学部品本体と、
前記光学部品本体を保持する保持部材と、を有し、
前記乱流発生部は、前記保持部材と一体化されていることを特徴とするプロジェクター。
【請求項７】
請求項１から請求項６のいずれか一項に記載のプロジェクターにおいて、
前記光学部品は、
所定の偏光方向の光を透過し、他の偏光方向の光を遮蔽する偏光素子と、
入射される光の偏光方向を回転させる位相差素子と、
前記光源装置から出射された光を変調する光変調装置と、
前記光源装置及び前記光変調装置の間に配置されて、入射される光の偏光方向を揃える偏光変換素子と、の少なくともいずれかであることを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、形成された画像をスクリーン等の被投射面上に拡大投射する投射光学装置と、を備えたプロジェクターが知られている。このようなプロジェクターとして、液晶表示ユニット及び偏光板の組合せを光変調装置として備えたプロジェクターが知られている（例えば、特許文献１参照）。
【０００３】
この特許文献１に記載のプロジェクターに用いられる液晶表示ユニットは、外枠に収納された液晶パネルにより構成されている。このような液晶表示ユニットは、下方側（フレキシブルケーブルが接合される側とは反対側）から送風された冷却風により冷却される。
しかしながら、従来の液晶表示ユニットの構造では、液晶パネルの下方に向かった冷却風が外枠の側壁ではじかれて、パネル面に効率的に導風されないため、当該液晶パネルを効率よく冷却できないという問題があった。
これに対し、上記特許文献１に記載の液晶表示ユニットでは、外枠における下辺の側壁に傾斜面を形成し、当該傾斜面に沿ってパネル面に冷却風を流通させている。
【先行技術文献】
【特許文献】
【０００４】
【特許文献１】特開２００４−４５６８０号公報
【発明の概要】
【発明が解決しようとする課題】
【０００５】
ここで、上記特許文献１に記載の液晶表示ユニットの構成では、下方側から傾斜面に沿って流通した冷却風はパネル面に沿って上方へと流通する。しかしながら、実際には、傾斜面とパネル面との交差部位が剥離点となって、冷却風の気流が当該パネル面から剥離する境界層剥離が発生する。このため、冷却風は、パネル面と接する（パネル面をなぞる）ようには流通しづらく、液晶表示ユニットの冷却効率がそれほど高くないという問題がある。
【０００６】
本発明は、上記課題の少なくとも一部を解決することを目的としたものであり、冷却対象を効率よく冷却できるプロジェクターを提供することを目的の１つとする。
【課題を解決するための手段】
【０００７】
本発明の一態様に係るプロジェクターは、光源装置と、前記光源装置から出射された光によって画像を形成する画像形成装置と、前記画像形成装置により形成された前記画像を投射する投射光学装置と、互いに対向する第１面及び第２面を有する冷却対象において、前記第１面に位置する冷却部位に、前記第１面の一端側から他端側に向かう第１方向に沿って冷却風を流通させる冷却装置と、前記冷却部位に対して前記第１方向とは反対方向側に位置し、前記冷却風に乱流を発生させる乱流発生部と、を備え、前記乱流発生部は、前記第１面の延長面より前記第２面側に位置する傾斜基点から前記第１方向に向かうに従って前記第１面に近接する方向に傾斜する傾斜面と、前記傾斜面に位置し、前記第１方向に直交する第２方向に沿って配列された複数の凹部と、を有し、前記画像形成装置は、前記冷却対象としての光学部品を有することを特徴とする。
【０００８】
このような構成によれば、冷却部位に対して上記第１方向とは反対方向側（冷却風の流路における上流側）に位置する乱流発生部に冷却風が流通すると、当該冷却風は、まず、上記傾斜面に沿って流通する。この際、当該傾斜面に位置する複数の凹部によって乱流が発生することから、境界層剥離の剥離点を傾斜面の頂点（傾斜面における第１方向側の端部）から、当該冷却風の流路における下流側にずらすことができる。このため、当該頂点にて境界層剥離が発生することを抑制できるので、第１面に接するように（第１面をなぞるように）冷却風を流通させることができ、ひいては、当該第１面に位置する冷却部位に接するように冷却風を流通させることができる。従って、冷却部位を効率よく冷却できる。また、上記のように乱流が発生することにより、冷却風の流路抵抗を低減できるので、第１面に沿って流通する冷却風の流速を高めることができる。従って、この点においても、当該第１面、ひいては、冷却部位の冷却効率を高めることができる。
【０００９】
上記一態様では、前記複数の凹部は、それぞれ少なくとも一部が前記傾斜面における前記第１方向側の端部より前記第１方向とは反対方向側に位置することが好ましい。
このような構成によれば、複数の凹部のそれぞれの少なくとも一部は、傾斜面において上記境界層剥離が生じる場合に剥離点となる第１方向側の端部より冷却風の流路における上流側に位置することとなる。これによれば、当該上流側に位置する部位によって、流通される冷却風に乱流を確実に発生させることができるので、当該境界層剥離の発生を確実に抑制できる。従って、冷却部位の冷却効率を確実に高めることができる。
【００１０】
上記一態様では、前記乱流発生部は、前記第１面と同一平面上に位置し、前記傾斜面と交差する交差面を有し、前記複数の凹部は、前記傾斜面と前記交差面との交差部位に跨って形成されていることが好ましい。
なお、交差面が第１面と同一平面上に位置するとは、当該交差面が第１面上、又は、当該第１面の延長面上に位置することを示す。
このような構成によれば、上記複数の凹部が、上記境界層剥離が生じる場合の剥離点に位置することとなり、当該複数の凹部によって、第１面に流通する冷却風に乱流を確実に発生させることができ、当該境界層剥離の発生を一層確実に抑制できる。従って、第１面に接するように冷却風を一層確実に流通させることができる。
また、複数の凹部の一部が位置する交差面が第１面と同一平面上に位置することにより、乱流発生部と第１面との間に凹部や隙間が存在する場合でも、当該乱流発生部にて生じた乱流を含む冷却風を、第１面、ひいては、冷却部位に接するように流通させることができる。
従って、冷却部位の冷却効率をより一層確実に高めることができる。
【００１１】
上記一態様では、前記複数の凹部のそれぞれの前記第１方向における内径寸法は、前記第２方向における内径寸法より大きいことが好ましい。
ここで、全ての凹部の第１方向における内径寸法が第２方向における内径寸法より小さい場合には、当該凹部を流通する冷却風の流路抵抗が大きくなる。
これに対し、上記複数の凹部のそれぞれの第１方向における内径寸法が、第２方向における内径寸法より大きいので、第１方向に流通する冷却風の流路抵抗を低減できる。従って、上記第１面に沿って流通する冷却風の流速の低下を抑制でき、冷却部位の冷却効率を高めることができる。
なお、傾斜面に位置する凹部の数及び大きさに応じて、乱流の発生が促進される。このように、第１面に沿って流通する冷却風の気流が乱流に遷移しやすくなると、当該冷却風の流路抵抗が一層低減される。このため、傾斜面に凹部がない場合に比べて、第１面に沿って流通する冷却風の流速を高めることができ、冷却部位の冷却効率をより一層高めることができる。
【００１２】
上記一態様では、前記複数の凹部は、楕円形状及び長円形状のいずれかであることが好ましい。
このような構成によれば、上記した効果を確実に奏することができる他、凹部を傾斜面に容易に形成できる。
【００１３】
上記一態様では、前記光学部品は、光学部品本体と、前記光学部品本体を保持する保持部材と、を有し、前記乱流発生部は、前記保持部材と一体化されていることが好ましい。
このような構成によれば、乱流発生部を有する部材を別途設ける必要がない。従って、プロジェクターの構成を簡略化できる。また、このように、乱流発生部が保持部材と一体化されていることにより、当該乱流発生部によって移動される剥離点の位置を制御しやすくすることができる。従って、上記効果を確実に奏することができる。
【００１４】
上記一態様では、前記光学部品は、所定の偏光方向の光を透過し、他の偏光方向の光を遮蔽する偏光素子と、入射される光の偏光方向を回転させる位相差素子と、前記光源装置から出射された光を変調する光変調装置と、前記光源装置及び前記光変調装置の間に配置されて、入射される光の偏光方向を揃える偏光変換素子と、の少なくともいずれかであることが好ましい。
ここで、これら偏光素子、位相差素子、光変調装置及び偏光変換素子は、プロジェクターの動作時に高温となりやすい一方で、熱に弱い素子及び装置である。
これに対し、これらの少なくともいずれかの光学部品が冷却対象として上記冷却風によって冷却されるので、当該光学部品の劣化を抑制でき、プロジェクターを安定して動作させることができる。従って、プロジェクターの信頼性を高めることができる。
【図面の簡単な説明】
【００１５】
【図１】本発明の一実施形態に係るプロジェクターの外観を示す斜視図。
【図２】上記実施形態における装置本体を示す平面図。
【図３】上記実施形態における画像投射装置の構成を示す模式図。
【図４】上記実施形態における液晶パネルを示す六面図。
【図５】上記実施形態における液晶パネルを光入射側から見た斜視図。
【図６】上記実施形態における乱流発生部を拡大して示す斜視図。
【図７】上記実施形態における比較例の液晶パネルを流通する冷却風の流速分布のシミュレーション結果を示す図。
【図８】上記実施形態における液晶パネルを流通する冷却風の流速分布のシミュレーション結果を示す図。
【図９】上記実施形態における比較例の液晶パネルを流通する冷却風の流速分布のシミュレーション結果を示す図。
【図１０】上記実施形態における液晶パネルを流通する冷却風の流速分布のシミュレーション結果を示す図。
【図１１】上記実施形態における光学部品用筐体を示す斜視図。
【図１２】上記実施形態における入射側偏光板を示す六面図。
【図１３】上記実施形態における入射側偏光板を光出射側から見た斜視図。
【図１４】上記実施形態における比較例の入射側偏光板を流通する冷却風の流速分布のシミュレーション結果を示す図。
【図１５】上記実施形態における入射側偏光板を流通する冷却風の流速分布のシミュレーション結果を示す図。
【図１６】上記実施形態における凹部の形状が異なる液晶パネルを示す斜視図。
【発明を実施するための形態】
【００１６】
以下、本発明の一実施形態について、図面に基づいて説明する。
［プロジェクターの概略構成］
図１は、本実施形態に係るプロジェクター１の外観を示す斜視図である。
本実施形態に係るプロジェクター１は、内部に収納された光源装置４１から出射された光を変調して画像情報に応じた画像を形成し、当該画像をスクリーン等の被投射面に拡大投射する画像表示装置である。このプロジェクター１は、図１に示すように、外装を構成する外装筐体２と、当該外装筐体２内に収容される装置本体３（図２参照）とを備える。
このようなプロジェクター１は、冷却対象の冷却部位に対して当該冷却対象に流通する冷却風の流路における上流側に、乱流を発生させる乱流発生部が設けられ、当該乱流発生部によって、冷却風の気流が冷却部位から離れて流通する境界層剥離の発生を抑制し、これにより、冷却対象の冷却効率を高めていることを特徴の１つとしている。
以下、各構成について説明する。
【００１７】
［外装筐体の構成］
外装筐体２は、図１に示すように、全体略直方体形状を有し、本実施形態では合成樹脂により形成されている。この外装筐体２は、アッパーケース２Ａ、ロアーケース２Ｂ、フロントケース２Ｃ及びリアケース２Ｄを有し、これらが組み合わされて構成されている。このような外装筐体２は、天面部２１、底面部２２、正面部２３、背面部２４、左側面部２５及び右側面部２６を有する。
天面部２１は、アッパーケース２Ａにより主に構成される。底面部２２は、ロアーケース２Ｂにより主に構成される。正面部２３は、フロントケース２Ｃにより構成され、背面部２４は、リアケース２Ｄにより構成される。左側面部２５及び右側面部２６は、それぞれ、各ケース２Ａ〜２Ｄの一部により構成される。
【００１８】
天面部２１には、外装筐体２に対して光源装置４１が挿抜される開口部（図示省略）を開閉するカバー部材２１１が着脱可能に取り付けられている。
底面部２２には、プロジェクター１を載置面に接する複数の脚部２２１（図１では２つの脚部２２１のみ図示）が設けられている。
正面部２３には、後述する投射光学装置４８から投射された画像が通過する略半円状の開口部２３１が形成されている。
右側面部２６には、後述する冷却装置８によって外装筐体２の外部の空気が内部に導入される吸気口２６１が形成されている。
左側面部２５には、外装筐体２内を流通して冷却対象の冷却に供された空気が排出される排気口２５１（図２参照）が形成されている。
【００１９】
［装置本体の構成］
図２は、外装筐体２内に配置された装置本体３を示す平面図である。なお、図２においては、装置本体３の一部の図示を省略している。
装置本体３は、プロジェクター１の内部構成に相当する。この装置本体３は、図２に示すように、画像投射装置４及び冷却装置８を備える。これらの他、図示を省略するが、装置本体３は、プロジェクター１全体の動作を制御する制御装置、及び、プロジェクター１を構成する電子部品に電力を供給する電源装置等を備える。
【００２０】
［画像投射装置の構成］
図３は、画像投射装置４の構成を示す模式図である。
画像投射装置４は、上記制御装置から入力される駆動信号（画像情報）に応じた画像を形成及び投射する。この画像投射装置４は、図３に示すように、光源装置４１、画像形成装置４２及び投射光学装置４８を備える。
これらのうち、光源装置４１は、画像形成装置４２に光を出射する。この光源装置４１は、発光管４１１、リフレクター４１２及び平行化レンズ４１３と、これらを収容するハウジング４１４と、を有する。
【００２１】
画像形成装置４２は、光源装置４１から出射された光を変調して画像情報に応じた画像を形成する。この画像形成装置４２は、照明光学装置４３、色分離装置４４、リレー装置４５、電気光学装置４６及び光学部品用筐体４７を有する。
照明光学装置４３は、光源装置４１から出射された光束の中心軸に対する直交面内の照度を均一化する。この照明光学装置４３は、光源装置４１からの光の入射順に、第１レンズアレイ４３１、第２レンズアレイ４３２、偏光変換素子４３３及び重畳レンズ４３４を有する。なお、照明光学装置４３は、通過光量を調整する調光装置を備えていてもよく、第１レンズアレイ４３１及び第２レンズアレイ４３２に代えてロッドインテグレーターを採用してもよい。
【００２２】
色分離装置４４は、照明光学装置４３から入射される光束から、赤（Ｒ）、緑（Ｇ）及び青（Ｂ）の各色光を分離する。この色分離装置４４は、ダイクロイックミラー４４１，４４２及び反射ミラー４４３を有する。
リレー装置４５は、分離された３つの色光のうち、他の色光に比べて光路が長い赤色光の光路上に設けられる。このリレー装置４５は、入射側レンズ４５１、リレーレンズ４５３及び反射ミラー４５２，４５４を有する。
【００２３】
電気光学装置４６は、分離された各色光を画像情報に応じてそれぞれ変調した後、当該各色光を合成することにより、投射光学装置４８によって投射される投射画像を形成する。この電気光学装置４６は、色光ごとにそれぞれ設けられるフィールドレンズ４６１、入射側偏光板５、光学補償板６、光変調装置としての液晶パネル７（赤、緑及び青用の液晶パネルをそれぞれ７Ｒ，７Ｇ，７Ｂとする）及び出射側偏光板４６２と、変調された各色光を合成して投射画像を形成する色合成装置４６３と、を有する。これらのうち、色合成装置４６３は、本実施形態ではクロスダイクロイックプリズムにより構成されているが、複数のダイクロイックミラーによって構成することも可能である。
これら３つの液晶パネル７、３つの出射側偏光板４６２及び色合成装置４６３は、当該色合成装置４６３の各光入射面に応じて配置される第１支持部材（図示省略）と、後述する第２支持部材ＨＭとによってユニット化されている。なお、入射側偏光板５、光学補償板６及び液晶パネル７の構成については、後に詳述する。
【００２４】
光学部品用筐体４７は、上記各装置４１，４２を収容するとともに、投射光学装置４８が所定の位置に配置される筐体である。この光学部品用筐体４７には、設計上の光軸である照明光軸Ａｘが設定されており、上記装置４１〜４６，４８は、当該照明光軸Ａｘに対する所定位置に配置される。このため、光源装置４１が光学部品用筐体４７に配置された際には、当該光源装置４１から出射される光の中心軸は、照明光軸Ａｘと一致する。なお、光学部品用筐体４７の構成については、後に詳述する。
【００２５】
投射光学装置４８は、画像形成装置４２にて形成された投射画像を上記被投射面上に拡大投射する。この投射光学装置４８は、複数のレンズ（図示省略）と、当該複数のレンズを内部に収容する鏡筒４８１とを備えた組レンズとして構成されている。
【００２６】
［冷却装置の構成］
冷却装置８は、装置本体３を構成する冷却対象に冷却風（冷却気体）を流通させて、当該冷却対象を冷却する。この冷却装置８は、図２に示すように、ファン８１〜８４及びダクト８５，８６を備える。
ファン８１，８２は、遠心力ファン（シロッコファン）で構成され、投射光学装置４８と右側面部２６の内面との間に、吸気面を上記吸気口２６１に向けて配置されている。これらファン８１，８２は、当該吸気口２６１を介して外装筐体２外の空気を吸引し、冷却気体として外装筐体２内に導入する。そして、ファン８１，８２は、吸引した空気を、ダクト８５を介して、上記電気光学装置４６に冷却風として流通させる。
【００２７】
ダクト８５は、詳しい図示を省略するが、ファン８１，８２の送出口と接続される。このダクト８５は、これらファン８１，８２のうち一方のファンから送出された冷却風を２つに分流し、一方の冷却風を、上記３つの液晶パネル７のうち１つの液晶パネル７近傍に、他方の冷却風を他の１つの液晶パネル７近傍に、それぞれ底面部２２側から天面部２１側に向けて送出する。
また、ダクト８５は、ファン８１，８２のうち他方のファンから送出された冷却風を２つに分流し、一方の冷却風を残りの１つの液晶パネル７近傍に、他方の冷却風を上記偏光変換素子４３３近傍に、それぞれ底面部２２側から天面部２１側に向けて送出する。
【００２８】
ファン８３は、遠心力ファンで構成され、光源装置４１近傍に配置されている。このファン８３は、外装筐体２内の気体を吸引して光源装置４１に冷却風として送出し、上記発光管４１１を冷却する。
ダクト８６は、略Ｌ字状に形成され、外装筐体２内における左側面部２５側の位置に配置される。具体的に、ダクト８６は、一端側の部位が、光源装置４１に沿うように配置され、他端側の部位が、左側面部２５に沿うように配置される。このダクト８６は、画像投射装置４、電源装置及び制御装置等を冷却した冷却風を内部に導入する。
ファン８４は、ダクト８６内に配置され、当該ダクト８６内に導入された冷却風を、排気口２５１を介して外装筐体２外に排出する。なお、このようなファン８４は、本実施形態では軸流ファンにより構成されているが、遠心力ファンにより構成してもよい。
【００２９】
［液晶パネルの構成］
図４は、液晶パネル７を示す六面図であり、図５は、液晶パネル７を光入射側から見た斜視図である。
液晶パネル７は、上記のように光変調装置である他、本発明の冷却対象となる光学部品の１つに相当する。この液晶パネル７は、図４及び図５に示すように、光学部品本体としてのパネル本体７１と、パネル本体７１を保持する保持部材７２とを備え、当該保持部材７２は、第２支持部材ＨＭに取り付けられる。
【００３０】
なお、以下の説明では、互いに直交する＋Ｘ方向、＋Ｙ方向及び＋Ｚ方向のうち、＋Ｚ方向を、３つの液晶パネル７（７Ｂ，７Ｇ，７Ｒ）のうち１つの液晶パネル７に入射される色光の進行方向とする。また、＋Ｙ方向を、底面部２２から天面部２１に向かう方向とし、＋Ｘ方向を、＋Ｙ方向側が上側となるように当該１つの液晶パネル７を光出射側から見た際の左側から右側に向かう方向とする。更に、＋Ｚ方向とは反対方向を−Ｚ方向とする。−Ｘ方向及び−Ｙ方向も同様である。
【００３１】
例えば、液晶パネル７Ｇでは、＋Ｚ方向は、当該液晶パネル７Ｇに入射される緑色光の進行方向（背面部２４側から正面部２３側に向かう方向）であり、＋Ｙ方向は、底面部２２側から天面部２１側に向かう方向であり、＋Ｘ方向は、左側面部２５側から右側面部２６側に向かう方向である。
一方、液晶パネル７Ｒでは、＋Ｚ方向は、当該液晶パネル７Ｒに入射される赤色光の進行方向（右側面部２６側から左側面部２５側に向かう方向）であり、＋Ｙ方向は、底面部２２側から天面部２１側に向かう方向であり、＋Ｘ方向は、背面部２４側から正面部２３側に向かう方向である。
他方、液晶パネル７Ｂでは、＋Ｚ方向は、当該液晶パネル７Ｂに入射される青色光の進行方向（左側面部２５側から右側面部２６側に向かう方向）であり、＋Ｙ方向は、底面部２２側から天面部２１側に向かう方向であり、＋Ｘ方向は、正面部２３側から背面部２４側に向かう方向である。
【００３２】
パネル本体７１は、入射される色光を上記駆動信号に応じて変調して、当該色光に応じた画像を形成する。このパネル本体７１は、当該パネル本体７１から＋Ｙ方向側に延出するフレキシブルプリント基板ＦＰＣを介して上記制御装置と接続され、当該制御装置から駆動信号が入力される。
【００３３】
保持部材７２は、パネル本体７１を収容する枠体である。この保持部材７２は、熱伝導性を有する材料（例えば金属）により構成されており、内部に収容されたパネル本体７１から伝導された熱を放熱する放熱部材としても機能する。このような保持部材７２は、パネル本体７１に対して光入射側（−Ｚ方向側）に位置する入射側保持枠７３と、光出射側（＋Ｚ方向側）に位置する出射側保持枠７５とを有し、これら保持枠７３，７５がパネル本体７１を挟むようにして組み合わされることによって、保持部材７２は構成される。
これらのうち、入射側保持枠７３における光入射側の面は、液晶パネル７の光入射面７ＳＡ（本発明の第１面に相当）であり、出射側保持枠７５の光出射面は、液晶パネル７の光出射面７ＳＢ（本発明の第２面に相当）である。この光出射面７ＳＢが熱伝導可能に接続されるように、保持部材７２は、第２支持部材ＨＭに固定される。
【００３４】
ここで、第２支持部材ＨＭの構成について説明する。
第２支持部材ＨＭは、光入射側の面に保持部材７２（出射側保持枠７５）が取り付けられることにより、液晶パネル７を保持する部材である。この第２支持部材ＨＭは、熱伝導性を有する材料（例えば金属）により形成されており、出射側保持枠７５から伝導された熱を放熱する放熱部材としても機能する。この第２支持部材ＨＭにおける略中央には、図示を省略するが、出射側保持枠７５を通過した色光が通過する開口部が形成されている。
また、光入射側から見て第２支持部材ＨＭの四隅には、＋Ｙ方向に長径が沿う長孔ＨＭ１がそれぞれ形成されている。これら長孔ＨＭ１には、上記色合成装置４６３において対応する色光が入射される各光入射面に配置された上記第１支持部材（図示省略）の腕部が挿入されることによって、第２支持部材ＨＭが当該第１支持部材に支持される。これら第２支持部材ＨＭ及び第１支持部材により、液晶パネル７及び出射側偏光板４６２が、色合成装置４６３と一体化される。
【００３５】
入射側保持枠７３は、入射される色光を通過させて、パネル本体７１に当該色光を入射させる矩形状の開口部７３１を略中央に有する。この開口部７３１は、光透過性及び熱伝導性を有する防塵部材７３２により閉塞されている。この防塵部材７３２は、パネル本体７１から伝導された熱を放熱する放熱部材としても機能する。すなわち、防塵部材７３２の配置部位は、液晶パネル７における冷却部位であり、当該防塵部材７３２を冷却することによってパネル本体７１が冷却される。
また、入射側保持枠７３における開口部７３１に対する＋Ｙ方向側の部位には、放熱フィンとして機能する複数の突条７３３が、当該＋Ｙ方向に沿って形成されている。
一方、図示を省略するが、出射側保持枠７５も、パネル本体７１により変調された色光を通過させ、かつ、防塵部材７３２と同様の防塵部材により閉塞された略矩形状の開口部を略中央に有する。
【００３６】
［乱流発生部の構成］
図６は、液晶パネル７における乱流発生部７４を拡大して示す斜視図である。なお、図７においては、凹部７４３の一部にのみ符号を付す。
入射側保持枠７３は、上記ダクト８５から光入射面７ＳＡに沿って流通される冷却風に乱流を発生させる乱流発生部７４を有する。
乱流発生部７４は、図５及び図６に示すように、液晶パネル７の光入射面７ＳＡにおいて冷却部位である防塵部材７３２の配置部位（上記防塵部材７３２を介してパネル本体７１の画像形成領域が露出される部位）に対して−Ｙ方向側、すなわち、冷却風の上流側に位置している。
このような乱流発生部７４は、傾斜面７４１、交差面７４２及び複数の凹部７４３を有し、当該乱流発生部７４は、入射側保持枠７３と一体化されている。
【００３７】
傾斜面７４１は、液晶パネル７を冷却する冷却風の流通方向である＋Ｙ方向に対して傾斜する面である。具体的に、傾斜面７４１は、光入射面７ＳＡの延長面ＥＰ１（図９参照）より光出射面７ＳＢ側（すなわち＋Ｚ方向側）に位置する傾斜基点Ｐ１から、＋Ｙ方向側に向かうに従って光入射面７ＳＡ（延長面ＥＰ１）に近接する方向（すなわち−Ｚ方向）に傾斜した面である。そして、上記ダクト８５から＋Ｙ方向に向けて液晶パネル７に送出された冷却風は、当該傾斜面７４１に沿って流通した後、＋Ｙ方向側に向かって光入射面７ＳＡに沿って流通する。
交差面７４２は、傾斜面７４１と交差している。この交差面７４２は、光入射面７ＳＡと同一平面であり、詳しくは、光入射面７ＳＡにおける−Ｙ方向側の端部の一部である。すなわち、交差面７４２は、光入射面７ＳＡ及び上記延長面ＥＰ１と同一平面上に位置する。
【００３８】
複数の凹部７４３は、傾斜面７４１と交差面７４２との交差部位Ｐ２に位置し、当該交差部位Ｐ２において、ダクト８５からの冷却風の流通方向である＋Ｙ方向に対して直交する＋Ｘ方向に沿って所定間隔を隔てて配列されている。これら凹部７４３は、傾斜面７４１と交差面７４２とに跨って略楕円形状に形成されており、凹部７４３における−Ｙ方向側の部位は、交差部位Ｐ２より−Ｙ方向側に位置し、＋Ｙ方向側の端部は、開口部７３１に達しない範囲に位置している。
これら略楕円形状の凹部７４３は、長径が＋Ｙ方向に沿うように形成されている。すなわち、それぞれの凹部７４３において、＋Ｙ方向における内径寸法は、＋Ｘ方向における内径寸法より大きい。なお、本実施形態では、上記交差部位Ｐ２の＋Ｘ方向における寸法は略２０ｍｍであり、凹部７４３の長径（＋Ｙ方向に沿う内径寸法）は１．５ｍｍであり、短径（＋Ｘ方向に沿う内径寸法）は０．６ｍｍであり、深さは０．１５ｍｍである。また、各凹部７４３の中心間距離は１ｍｍであり、当該交差部位Ｐ２に、凹部７４３は１９個形成されている。
【００３９】
このような凹部７４３の底部７４４は、互いに交差する上流側底部７４５及び下流側底部７４６により形成されている。
上流側底部７４５は、傾斜面７４１と略平行な底面であり、当該傾斜面７４１に位置している。一方、下流側底部７４６は、交差面７４２と略平行な底面であり、当該交差面７４２に位置している。
【００４０】
［液晶パネルを流通する冷却風の流れ］
以下、本実施形態に係る液晶パネル７に向けて上記ダクト８５から送出された冷却風の流速分布と、当該液晶パネル７に対する比較例としての液晶パネル７Ｘに向けて上記ダクト８５から送出された冷却風の流速分布とのシミュレーション結果について説明する。
なお、液晶パネル７Ｘは、当該複数の凹部７４３が形成されていない点を除いて、液晶パネル７と同じ構成を有するものとする。
【００４１】
図７は、液晶パネル７Ｘを＋Ｘ方向側から見た場合の当該液晶パネル７Ｘを流通する冷却風の流速分布のシミュレーション結果を示す図である。なお、図７に示す冷却風の速度（流速）の関係は、Ｓ１＞Ｓ２＞Ｓ３＞Ｓ４＞Ｓ５であり、Ｓ１が最も高く、Ｓ５が最も低い。
液晶パネル７Ｘに上記ダクト８５から冷却風を流通させると、図７に示すように、傾斜面７４１と交差面７４２との交差部位Ｐ２が剥離点となって光入射面７ＳＡから−Ｚ方向側（傾斜面７４１の傾斜方向側）に冷却風の気流が離れる境界層剥離が生じる。この場合、液晶パネル７Ｘに沿って＋Ｙ方向側に流通する冷却風の気流は、当該液晶パネル７Ｘの光入射面７ＳＡから離れてしまう。このため、光入射面７ＳＡと接するように（光入射面７ＳＡをなぞるように）流通する冷却風の気流の流速は低くなる。
【００４２】
図８は、本実施形態に係る液晶パネル７を＋Ｘ方向側から見た場合の当該液晶パネル７を流通する冷却風の流速分布のシミュレーション結果を示す図である。なお、図８に示す冷却風の速度（流速）の関係は、上記した図７での関係と同じである。
これに対し、液晶パネル７に上記ダクト８５から冷却風を流通させると、傾斜面７４１に沿って流通した冷却風が上記交差部位Ｐ２に到達する際に、当該傾斜面７４１に一部が位置する複数の凹部７４３によって乱流が発生する。このため、図８に示すように、当該交差部位Ｐ２では上記境界層剥離が生じにくくなり、光入射面７ＳＡに沿って＋Ｙ方向側に流通する冷却風の気流は、当該光入射面７ＳＡから離れにくくなる。換言すると、当該冷却風の気流は、光入射面７ＳＡと接するように流通する。
これは、上記複数の凹部７４３に冷却風が流通することによって乱流の発生が促進され、流路抵抗が低減されたことによるものと考えられる。
【００４３】
図９は、液晶パネル７Ｘを−Ｚ方向側（光入射側）から見た場合の上記流速分布のシミュレーション結果を示す図であり、図１０は、液晶パネル７を−Ｚ方向側（光入射側）から見た場合の上記流速分布のシミュレーション結果を示す図である。なお、図９及び図１０に示す冷却風の速度（流速）の関係は、Ｔ１＞Ｔ２＞Ｔ３＞Ｔ４＞Ｔ５であり、Ｔ１が最も高く、Ｔ５が最も低い。
上記のように、比較例としての液晶パネル７Ｘと、本実施形態に係る液晶パネル７とに、冷却風が流通することにより、図９及び図１０に示すように、光入射面７ＳＡに沿って流通する流速に差異が生じる。
具体的に、液晶パネル７Ｘの光入射面７ＳＡでは、図９に示すように、流速Ｔ２の領域及び流速Ｔ３の領域が略全体を占めており、最も高い流速Ｔ１の領域は僅かである。
これに対し、液晶パネル７の光入射面７ＳＡでは、図１０に示すように、流速Ｔ１の領域が半分以上を占めて、次いで流速Ｔ２の領域が広い一方で、流速Ｔ３の領域は小さくなっている。
これは、上記ダクト８５から流通される冷却風の流速が液晶パネル７Ｘと液晶パネル７とで同じであるにも関わらず、当該液晶パネル７では、光入射面７ＳＡと接するように流通する冷却風の流速が全体的に高くなっていることを示している。
【００４４】
このように、本実施形態に係る液晶パネル７では、上記複数の凹部７４３がない比較例としての液晶パネル７Ｘに比べて、上記交差部位Ｐ２での境界層剥離の発生を抑制でき、冷却部位である防塵部材７３２の配置部位と接するように冷却風を流通させることができる他、流路抵抗の低減による冷却風の流速の増加を図ることができる。従って、液晶パネル７を効率よく冷却できる。
なお、図１０に示したように、液晶パネル７の光入射面７ＳＡでは、パネル本体７１の中央部分を流通する冷却風の流速が高くなっている。このため、パネル本体７１において、他の部位に比べて温度が高くなりやすく、熱が外側に伝導されにくい中央部分を効果的に冷却できる。
【００４５】
［光学部品用筐体の構成］
図１１は、光学部品用筐体４７を示す斜視図である。なお、図１１においては、光学部品用筐体４７の一部の図示を省略している。
光学部品用筐体４７は、図１１に示すように、上記した各種光学部品を収容する部品収納部材４７１と、当該部品収納部材４７１に対して＋Ｙ方向側に位置する蓋状部材４７２と、を備える。
【００４６】
部品収納部材４７１は、背面部２４及び右側面部２６に沿う略Ｌ字状に形成されており、左側面部２５側の端部には、光源収納部（図示省略）が形成され、正面部２３側の端部には、レンズ接続部４７１１が形成されている。
この部品収納部材４７１における他端側で、かつ、レンズ接続部４７１１より内側には、上記電気光学装置４６が配置される略矩形状の空間Ｓが形成されている。また、部品収納部材４７１の内部には、図示を省略するが、上記装置４２〜４４の各構成及びフィールドレンズ４６１が挿入される複数の溝及び係止部が形成及び配置されている。
なお、レンズ接続部４７１１は、空間Ｓの端縁のうち正面部２３側の端縁を形成する構成であり、外装筐体２内に固定されたレンズ支持部材（図示省略）に支持された投射光学装置４８の背面部２４側の端部と接続される。
【００４７】
蓋状部材４７２は、部品収納部材４７１にねじ固定されて、当該部品収納部材４７１に形成された部品収納用の開口部（図示省略）を閉塞する。この蓋状部材４７２における上記空間Ｓの端縁のうち、電気光学装置４６への各色光の入射側の部位には、入射側偏光板５及び光学補償板６を回動可能に支持する支持部材ＳＭが取り付けられる。
なお、上記のように、＋Ｚ方向は、それぞれ３つの入射側偏光板５及び光学補償板６のうち、それぞれ１つの入射側偏光板５及び光学補償板６に入射される色光の進行方向を＋Ｚ方向とする。また、＋Ｙ方向を、底面部２２から天面部２１に向かう方向とし、＋Ｘ方向を、＋Ｙ方向側が上側となるように、これら入射側偏光板５及び光学補償板６を光出射側から見た際の左側から右側に向かう方向とする。−Ｘ方向、−Ｙ方向及び−Ｚ方向は、上記と同様である。
【００４８】
［支持部材の構成］
支持部材ＳＭは、それぞれ、入射側偏光板５及び光学補償板６（詳しくは後述する保持部材５２，６２）を、上記照明光軸Ａｘを中心として回動可能に保持する部材である。これら支持部材ＳＭは、当該入射側偏光板５及び光学補償板６を通過する色光の中心軸に対する直交面と略平行に配置される本体部ＳＭ１と、当該本体部ＳＭ１に対して光入射側に屈曲し、上記蓋状部材４７２に取り付けられる取付部ＳＭ２と、を有し、−Ｘ方向側から見て上下を反転させた略Ｌ字状に形成されている。
このような支持部材ＳＭにおける光入射側に、入射側偏光板５が配置され、光出射側に、光学補償板６が配置される。なお、図示を省略するが、本体部ＳＭ１の略中央には、入射側偏光板５を通過した色光を光学補償板６に入射させる開口部が形成されている。
【００４９】
［光学補償板の構成］
ここで、光学補償板６について、先に説明する。
光学補償板６は、図１１に示すように、補償板本体６１と、当該補償板本体６１を保持して上記支持部材ＳＭに回動可能に支持される保持部材６２と、を有する。
補償板本体６１は、上記液晶パネル７（パネル本体７１）にて生じる複屈折による常光と異常光との間に生じる位相差を補償し、当該液晶パネル７の明視特性を改善する機能を有する板状部材である。
保持部材６２は、上記支持部材ＳＭと同様に、ＸＹ平面に沿って配置されて補償板本体６１を保持する保持部６３と、当該保持部６３に対して光入射側に屈曲し、かつ、上記取付部ＳＭ２に対して＋Ｙ方向側にて重なり合う操作部６４とを有する。すなわち、保持部材６２は、支持部材ＳＭと同様に、−Ｘ方向側から見て上下を反転させた略Ｌ字状に形成されている。
これらのうち、操作部６４は、取付部ＳＭ２の＋Ｙ方向側の面における円弧状部分に沿って＋Ｘ方向側及び−Ｘ方向側に操作されることにより、補償板本体６１を通過する色光の中心軸（照明光軸Ａｘと一致）を中心として保持部６３を回動させる。これにより、光学補償板６（補償板本体６１）の位置を調整でき、補償板本体６１の補償方向を液晶パネル７に合わせることができる。
【００５０】
［入射側偏光板の構成］
図１２は、入射側偏光板５を示す六面図であり、図１３は、入射側偏光板５を光出射側から見た斜視図である。
入射側偏光板５は、本発明の冷却対象となる光学部品の１つに相当する。この入射側偏光板５は、上記のように、支持部材ＳＭの光入射側に配置され、当該支持部材ＳＭによって支持される。このような入射側偏光板５は、図１２及び図１３に示すように、光学部品本体としての偏光板本体５１と、当該偏光板本体５１を保持して上記支持部材ＳＭに回動可能に支持される保持部材５２と、を有する。
偏光板本体５１は、ｓ偏光及びｐ偏光のうち、一方の偏光（上記偏光変換素子４３３によって偏光方向が揃えられた直線偏光）を透過し、他方の偏光を吸収する機能を有する。このため、偏光板本体５１は、吸収される他方の偏光の光量に応じて熱を帯びる。このような偏光板本体５１の光出射面５１Ｂは、入射側偏光板５における本発明の第１面に相当し、光入射面５１Ａは、入射側偏光板５における本発明の第２面に相当する。
【００５１】
保持部材５２は、上記保持部材６２と同様に、ＸＹ平面に沿って配置されて偏光板本体５１を保持する保持部５３と、当該保持部５３に対して光入射側に屈曲し、かつ、上記取付部ＳＭ２に対して−Ｙ方向側にて重なり合う操作部５４と、乱流発生部５５と、を有し、−Ｘ方向側から見て上下を反転させた略Ｌ字状に形成されている。
これらのうち、操作部５４は、取付部ＳＭ２の−Ｙ方向側の面における円弧状部分に沿って＋Ｘ方向側及び−Ｘ方向側に操作されることにより、偏光板本体５１を通過する色光の中心軸を中心として保持部５３を回動させる。これにより、通過させる偏光の偏光方向に対して偏光板本体５１の吸収軸が直交するように、当該入射側偏光板５の位置を調整できる。
【００５２】
乱流発生部５５は、保持部５３の光出射側（＋Ｚ方向側）の面５３Ｂに、偏光板本体５１における第１面としての光出射面５１Ｂに対して冷却風の流路における上流側（−Ｙ方向側）となる位置に固定されている。すなわち、入射側偏光板５において光出射面５１Ｂは、当該冷却風による冷却部位であり、乱流発生部５５は、保持部５３、ひいては保持部材５２と一体化されている。
この乱流発生部５５は、＋Ｘ方向側から見て、上底が＋Ｚ方向側を向き、下底が−Ｚ方向側を向く略台形状に形成されている。このような乱流発生部５５は、上記乱流発生部７４と同様に、偏光板本体５１に＋Ｙ方向に沿って流通される冷却風に乱流を発生させることにより、偏光板本体５１から冷却風の気流が剥離する境界層剥離の発生を抑制する。
なお、本実施形態では、乱流発生部５５は、偏光板本体５１との間に＋Ｙ方向において所定の間隔を隔てて保持部５３に配置されている。しかしながら、乱流発生部５５（特に第１傾斜面５５１）と偏光板本体５１とは接続されていてもよい。
【００５３】
このような乱流発生部５５は、第１傾斜面５５１、交差面５５２、第２傾斜面５５３及び複数の凹部５５４を有する。
第１傾斜面５５１は、本発明の傾斜面に相当し、上記光出射側の面５３Ｂにおける−Ｙ方向側の端部近傍の傾斜基点Ｐ３から＋Ｙ方向側に向かうに従って、光出射面５１Ｂの延長面ＥＰ２（図１５参照）に近接する＋Ｚ方向側に傾斜している。この第１傾斜面５５１における＋Ｙ方向側の端部は、冷却風によって冷却される冷却部位である光出射面５１Ｂの延長面ＥＰ２上に位置する。すなわち、第１傾斜面５５１は、光出射面５１Ｂの延長面ＥＰ２より光入射面５１Ａ側に位置する傾斜基点Ｐ３から＋Ｙ方向に向かうに従って光出射面５１Ｂに近接する＋Ｚ方向側に傾斜した面である。
【００５４】
交差面５５２は、第１傾斜面５５１に対して＋Ｙ方向側に位置し、当該第１傾斜面５５１の＋Ｙ方向側の端縁と接続されている。すなわち、交差面５５２は、第１傾斜面５５１と交差部位Ｐ４にて交差している。この交差面５５２は、光入射面５１Ａと略同一平面上に位置し、上記延長面ＥＰ２の略同一平面である。
第２傾斜面５５３は、交差面５５２に対して第１傾斜面５５１とは反対側に位置している。すなわち、第２傾斜面５５３は、乱流発生部５５において＋Ｙ方向側の端面を形成している。この第２傾斜面５５３は、交差面５５２における＋Ｙ方向側の端部から＋Ｙ方向に向かうに従って−Ｚ方向側に傾斜している。
【００５５】
複数の凹部５５４は、第１傾斜面５５１と交差面５５２との交差部位Ｐ４に、偏光板本体５１を冷却する冷却風の流通方向である＋Ｙ方向に直交する＋Ｘ方向に沿って互いに所定間隔を隔てて配列されている。すなわち、複数の凹部５５４は、上記複数の凹部７４３と同様に、交差部位Ｐ４において第１傾斜面５５１と交差面５５２とに跨って形成されている。これら凹部５５４は、＋Ｙ方向における内径寸法が、＋Ｘ方向における内径寸法より大きい形状に形成されており、本実施形態では、各凹部５５４は楕円形状に形成されている。これら凹部５５４における−Ｙ方向側の部位は、交差部位Ｐ４より−Ｙ方向側に位置し、＋Ｙ方向側の部位は、第２傾斜面５５３に達しない範囲に形成されている。
なお、本実施形態では、当該交差部位Ｐ４に６つの凹部５５４が形成されているが、凹部５５４の数は適宜変更してよい。
【００５６】
これら凹部５５４の底部５５５は、上記凹部７４３の底部７４４と同様に、互いに交差する上流側底部５５６及び下流側底部５５７により形成されている。
上流側底部５５６は、第１傾斜面５５１と略平行な底面であり、当該第１傾斜面５５１に位置している。一方、下流側底部５５７は、交差面５５２と略平行な底面であり、当該交差面５５２に位置している。
【００５７】
［入射側偏光板を流通する冷却風の流れ］
以下、本実施形態に係る入射側偏光板５に向けて上記ダクト８５から送出された冷却風の流速分布と、当該入射側偏光板５に対する比較例としての入射側偏光板５Ｘに向けて上記ダクト８５から送出された冷却風の流速分布とのシミュレーション結果について説明する。なお、入射側偏光板５Ｘは、当該複数の凹部５５４が形成されていない点を除いて、入射側偏光板５と同じ構成を有するものとする。
【００５８】
図１４は、入射側偏光板５Ｘを流通する冷却風の流速分布のシミュレーション結果を示す図である。詳述すると、図１４は、入射側偏光板５Ｘを−Ｘ方向側から見た場合の当該冷却風の流速分布を示す図である。なお、図１４に示す冷却風の速度（流速）の関係は、Ｕ１＞Ｕ２＞Ｕ３＞Ｕ４＞Ｕ５であり、Ｕ１が最も高く、Ｕ５が最も低い。
入射側偏光板５Ｘに上記ダクト８５から冷却風を流通させると、図１４に示すように、第１傾斜面５５１と交差面５５２との交差部位Ｐ４が剥離点となって光出射面５１Ｂから＋Ｚ方向側に冷却風の気流が離れる境界層剥離が生じる。この場合、上記液晶パネル７Ｘの場合と同様に、偏光板本体５１の光出射面５１Ｂと接するように（光出射面５１Ｂをなぞるように）流通する冷却風の流速は低くなる。
【００５９】
図１５は、入射側偏光板５を流通する冷却風の流速分布のシミュレーション結果を示す図である。詳述すると、図１５は、入射側偏光板５を−Ｘ方向側から見た場合の当該冷却風の流速分布を示す図である。なお、図１５に示す冷却風の速度（流速）の関係は、上記した図１４での関係と同じである。
これに対し、入射側偏光板５に上記ダクト８５から冷却風を流通させると、第１傾斜面５５１に沿って流通した冷却風が上記交差部位Ｐ４に到達する際に、当該第１傾斜面５５１に一部が位置する複数の凹部５５４によって乱流が発生する。このため、図１５に示すように、上記境界層剥離が生じにくくなり、偏光板本体５１の光出射面５１Ｂに沿って＋Ｙ方向側に流通する冷却風の気流は、当該光入射面５１Ａから離れにくくなる。換言すると、当該冷却風の気流は、光出射面５１Ｂと接するように流通する。
なお、詳しいシミュレーション結果は省略するが、入射側偏光板５では、光出射面５１Ｂと接するように流通する冷却風の流速は、上記液晶パネル７の場合と同様に、上記入射側偏光板５Ｘを用いた場合に比べて高くなる。これは、上記複数の凹部５５４に冷却風が流通することによって乱流の発生が促進され、流路抵抗が低減されたことによるものと考えられる。
【００６０】
このように、本実施形態に係る入射側偏光板５では、上記複数の凹部５５４がない比較例としての入射側偏光板５Ｘに比べて、上記交差部位Ｐ４での境界層剥離の発生を抑制でき、冷却部位である偏光板本体５１（光出射面５１Ｂ）と接するように冷却風を流通させることができる他、流路抵抗の低減による冷却風の流速の増加を図ることができる。従って、入射側偏光板５（偏光板本体５１）を効率よく冷却できる。
【００６１】
［実施形態の効果］
以上説明した本実施形態に係るプロジェクター１によれば、以下の効果がある。
上記画像形成装置４２は、冷却対象の光学部品として、入射側偏光板５及び液晶パネル７を有する。
これらのうち、液晶パネル７は、第１面としての光入射面７ＳＡに第１方向である＋Ｙ方向に沿って冷却装置８（ダクト８５）から流通される冷却風に乱流を発生させる乱流発生部７４を、冷却部位（防塵部材７３２の配置位置）に対して−Ｙ方向側に有する。この乱流発生部７４は、光入射面７ＳＡの延長面ＥＰ１より光出射面７ＳＢ側に位置する傾斜基点Ｐ１から＋Ｙ方向に向かうに従って当該光入射面７ＳＡに近接する方向に傾斜する傾斜面７４１を有する。また、乱流発生部７４は、当該傾斜面７４１に位置し、＋Ｙ方向に直交する第２方向である＋Ｘ方向に沿って配列された複数の凹部７４３を有する。
【００６２】
このような構成によれば、上記複数の凹部７４３を有する乱流発生部７４にて、光入射面７ＳＡに流通する冷却風に乱流を発生させることができ、これにより、境界層剥離の剥離点を傾斜面７４１の頂点（すなわち交差部位Ｐ２）から冷却風の流路における下流側にずらすことができる。このため、当該交差部位Ｐ２にて境界層剥離が発生することを抑制できるので、光入射面７ＳＡと接するように冷却風を流通させることができる。従って、上記冷却部位、ひいては、パネル本体７１を効率よく冷却できる。
また、上記のように乱流が発生することにより、冷却風の流路抵抗を低減できるので、光入射面７ＳＡに沿って流通する冷却風の流速を高めることができる。従って、この点においても、パネル本体７１の冷却効率を高めることができる。
【００６３】
一方、入射側偏光板５は、当該入射側偏光板５の冷却部位である光出射面５１Ｂに流通する冷却風に乱流を発生させる乱流発生部５５を、光出射面５１Ｂに対して当該冷却風の上流側である−Ｙ方向側に有する。この乱流発生部５５は、第１面としての光出射面５１Ｂの延長面ＥＰ２より第２面としての光入射面５１Ａ側に位置する傾斜基点Ｐ３から＋Ｙ方向に向かうに従って光出射面５１Ｂに近接する方向に傾斜する第１傾斜面５５１を有する。この他、乱流発生部５５は、当該第１傾斜面５５１に位置し、＋Ｙ方向に直交する＋Ｘ方向に沿って配列された複数の凹部５５４を有する。
【００６４】
このような構成によれば、上記複数の凹部５５４を有する乱流発生部５５にて、光出射面５１Ｂに流通する冷却風に乱流を発生させることができ、これにより、境界層剥離の剥離点を第１傾斜面５５１の頂点（すなわち交差部位Ｐ４）から冷却風の流路における下流側にずらすことができる。このため、当該交差部位Ｐ４にて境界層剥離が発生することを抑制できるので、光出射面５１Ｂと接するように冷却風を流通させることができる。従って、上記冷却部位、ひいては、偏光板本体５１を効率よく冷却できる。
また、上記と同様に、乱流の発生が促進されることにより、冷却風の流路抵抗を低減できるので、光出射面５１Ｂに沿って流通する冷却風の流速を高めることができる。従って、この点においても、偏光板本体５１の冷却効率を高めることができる。
【００６５】
乱流発生部７４において、複数の凹部７４３のそれぞれの一部は、傾斜面７４１における＋Ｙ方向側の端部である交差部位Ｐ２より−Ｙ方向側に位置している。これによれば、当該一部は、傾斜面７４１において上記境界層剥離が生じる場合に剥離点となる交差部位Ｐ２より冷却風の流路における上流側に位置することとなる。このため、当該一部によって、流通される冷却風に乱流を確実に発生させることができるので、当該境界層剥離の発生を確実に抑制できる。従って、冷却部位、ひいては、パネル本体７１の冷却効率を確実に高めることができる。
また、乱流発生部５５において、複数の凹部５５４のそれぞれの一部は、第１傾斜面５５１における＋Ｙ方向側の端部である交差部位Ｐ４より−Ｙ方向側に位置している。これによれば、上記と同様に、当該一部によって、流通される冷却風に乱流を確実に発生させることができるので、当該交差部位Ｐ４にて境界層剥離の発生を確実に抑制できる。従って、冷却部位、ひいては、偏光板本体５１の冷却効率を確実に高めることができる。
【００６６】
乱流発生部７４は、光入射面７ＳＡと同一平面上に位置し、傾斜面７４１と交差する交差面７４２を有し、複数の凹部７４３は、これら傾斜面７４１及び交差面７４２の交差部位Ｐ２に跨って形成されている。これによれば、複数の凹部７４３が、上記境界層剥離が生じる場合の剥離点に位置することとなり、当該複数の凹部７４３によって、光入射面７ＳＡに流通する冷却風に乱流を確実に発生させることができ、当該境界層剥離の発生を一層確実に抑制できる。従って、光入射面７ＳＡと接するように冷却風を一層確実に流通させることができ、パネル本体７１の冷却効率をより一層確実に高めることができる。
また、乱流発生部５５は、光出射面５１Ｂと同一平面上に位置し、第１傾斜面５５１と交差する交差面５５２を有し、複数の凹部５５４は、これら第１傾斜面５５１及び交差面５５２の交差部位Ｐ４に跨って形成されている。これによれば、上記と同様の理由により、当該複数の凹部５５４によって、光出射面５１Ｂに流通する冷却風に乱流を確実に発生させることができ、当該境界層剥離の発生を一層確実に抑制できる。従って、光出射面５１Ｂと接するように冷却風を一層確実に流通させることができ、偏光板本体５１の冷却効率をより一層確実に高めることができる。
【００６７】
乱流発生部７４において、複数の凹部７４３のそれぞれの＋Ｙ方向における内径寸法は、当該＋Ｙ方向に直交する＋Ｘ方向における内径寸法より大きい。これによれば、各凹部７４３の長径は、冷却風の流通方向に沿うこととなるので、長径が＋Ｘ方向に沿う場合に比べて、当該凹部７４３に沿って冷却風が流通する際の流路抵抗を低減できる。従って、光入射面７ＳＡに沿って流通する冷却風の流速の低下を抑制でき、パネル本体７１の冷却効率を高めることができる。また、乱流発生部７４では、凹部７４３は＋Ｘ方向に沿って密に配列されているので、冷却風に対する乱流の発生が促進される。このため、光入射面７ＳＡに沿って流通する冷却風の気流が乱流に遷移しやすくなり、流路抵抗が一層低減される。従って、凹部７４３がない場合に比べて、光入射面７ＳＡに沿って流通する冷却風の流速を高めることができ、パネル本体７１の冷却効率をより一層高めることができる。
一方、乱流発生部５５において、複数の凹部５５４のそれぞれの＋Ｙ方向における内径寸法は、当該＋Ｙ方向に直交する＋Ｘ方向における内径寸法より大きい。これによれば、上記と同様に、凹部５５４の長径が＋Ｘ方向に沿う場合に比べて、当該凹部５５４に沿って冷却風が流通する際の流路抵抗を低減できる。従って、光出射面５１Ｂに沿って流通する冷却風の流速の低下を抑制でき、偏光板本体５１の冷却効率を高めることができる。
【００６８】
凹部７４３，５５４のそれぞれは、楕円形状に形成されている。これによれば、上記した効果を確実に奏することができる。この他、凹部７４３を傾斜面７４１に、凹部５５４を第１傾斜面５５１に容易に形成できる。
【００６９】
液晶パネル７は、パネル本体７１と、当該パネル本体７１を保持する保持部材７２と、を有し、上記乱流発生部７４は、保持部材７２（入射側保持枠７３）と一体化されている。これによれば、乱流発生部７４を有する部材を別途設ける必要がない。従って、プロジェクター１の構成を簡略化できる。また、このように、乱流発生部７４が保持部材７２と一体化されていることにより、当該乱流発生部７４によって移動される剥離点の位置を制御しやすくすることができる。従って、上記効果を確実に奏することができる。
偏光板本体５１と、当該偏光板本体５１を保持する保持部材５２と、を有し、乱流発生部５５が保持部材５２と一体化された入射側偏光板５においても同様である。
【００７０】
上記プロジェクター１では、冷却対象としての光学部品は、所定の偏光方向の光を透過し、他の偏光方向の光を遮蔽する偏光素子（一方の直線偏光を透過し、他方の直線偏光を遮蔽する偏光素子）である入射側偏光板５と、光源装置４１から出射された光を変調する光変調装置としての液晶パネル７である。これによれば、それぞれ熱に弱い入射側偏光板５（偏光板本体５１）及び液晶パネル７（パネル本体７１）を上記冷却風によって効率よく冷却できるので、これらの劣化を抑制でき、プロジェクター１を安定して動作させることができる。従って、プロジェクター１の信頼性を高めることができる。
【００７１】
［実施形態の変形］
本発明は、上記実施形態に限定されるものではなく、本発明の目的を達成できる範囲での変形、改良等は本発明に含まれるものである。
上記実施形態では、乱流発生部７４を構成する凹部７４３、及び、乱流発生部５５を構成する凹部５５４の形状は、略楕円形状であるとした。しかしながら、これに限らず、それぞれの凹部７４３，５５４の形状は、適宜変更してよい。
【００７２】
図１６は、凹部７４３の形状が異なる液晶パネル７を示す斜視図である。
例えば、乱流発生部７４を構成する複数の凹部７４３の形状は、多角形状でもよく、図１６に示すように六角形状でもよい。この図１６に示す凹部７４３において、冷却風の流通方向である＋Ｙ方向における内径寸法は、当該＋Ｙ方向に直交する＋Ｘ方向における内径寸法より大きい。しかしながら、これに限らず、これら内径寸法が略一致していてもよく、＋Ｙ方向における内径寸法が、＋Ｘ方向における内径寸法より小さくてもよい。なお、図１６の例では、全ての凹部７４３は、＋Ｙ方向における内径寸法が＋Ｘ方向における内径寸法より大きくなるように形成されている。しかしながら、これに限らず、少なくとも１つの凹部７４３の＋Ｙ方向における内径寸法が、＋Ｘ方向における内径寸法より大きくてもよい。
一方、少なくとも１つの凹部７４３の形状は、略長円形状でもよく、略真円形状でもよく、正三角形や正方形等の多角形状（更に言うと正多角形状）でもよい。これらのいずれかの場合でも、当該凹部７４３の＋Ｙ方向における内径寸法は、＋Ｘ方向における内径寸法に対して大きくても小さくても一致していてもよい。更に、寸法及び形状の異なる凹部７４３が混在していてもよい。
入射側偏光板５や他の冷却対象としての光学部品においても同様である。
【００７３】
なお、凹部７４３，５５４の＋Ｙ方向における内径寸法が、＋Ｘ方向における内径寸法と同じである場合や、＋Ｘ方向における内径寸法より小さい場合には、＋Ｙ方向における内径寸法の方が大きい場合に比べて、凹部７４３，５５４に流通する冷却風の流路抵抗が大きくなる。このため、上記のように、凹部７４３，５５４の＋Ｙ方向における内径寸法は、＋Ｘ方向における内径寸法より大きいことが好ましい。
【００７４】
上記実施形態では、冷却装置８（ダクト８５）から送出された冷却風は、液晶パネル７の光入射面７ＳＡに沿って流通し、また、入射側偏光板５（偏光板本体５１）の光出射面５１Ｂに沿って流通するとした。しかしながら、これに限らず、液晶パネル７の光出射面７ＳＢ、及び、入射側偏光板５の光入射面に沿って冷却風が流通するように構成してもよい。更に、冷却対象の光学部品の光入射側の面及び光出射側の面のそれぞれに沿って冷却風が流通するように構成してもよい。
また、上記実施形態では、底面部２２側から天面部２１側に向かう方向を＋Ｙ方向とし、当該＋Ｙ方向が第１方向であるとし、当該＋Ｙ方向に直交する＋Ｘ方向を第２方向とした。しかしながら、これに限らず、第１方向及び当該第１方向に直交する第２方向は、適宜変更してもよい。すなわち、冷却風の流通方向は、＋Ｙ方向に限らない。例えば、＋Ｘ方向に冷却風が流通し、冷却部位に対して当該冷却風の流路における上流側に傾斜面が位置し、当該＋Ｘ方向に直交する＋Ｙ方向に沿って凹部が傾斜面に配列されていてもよい。
【００７５】
上記実施形態では、乱流発生部７４は、傾斜面７４１と交差し、かつ、光入射面７ＳＡの一部である交差面７４２を有するとした。また、乱流発生部５５は、第１傾斜面５５１と交差し、光出射面５１Ｂと同一平面上に位置する交差面５５２を有するとした。しかしながら、これに限らず、交差面７４２，５５２はなくてもよい。例えば、乱流発生部７４は、＋Ｘ方向側から見て略三角形状に形成され、冷却風が沿う傾斜面において当該冷却風の流通方向下流側の部位に凹部が形成された構成を有していてもよい。
また、乱流発生部が有する複数の凹部の位置は、当該複数の凹部のうち少なくともいずれかが、傾斜面において冷却風の流通方向における下流側の端部より上流側に位置していればよい。すなわち、複数の凹部の全てが当該端部より上流側に位置していてもよく、複数の凹部のうちの一部が当該端部より上流側に位置していてもよい。一方、複数の凹部の全てが、当該端部より下流側に位置していてもよい。また、上記のように、当該端部より上流側に全体が位置する凹部、及び、当該端部より下流側に全体が位置する凹部のうち少なくともいずれかが混在していてもよい。
【００７６】
上記実施形態では、乱流発生部７４は、保持部材７２（入射側保持枠７３）と一体化されているとし、乱流発生部５５は、保持部材５２と一体化されているとした。しかしながら、これに限らず、乱流発生部７４を有する部材が、保持部材７２（ひいては液晶パネル７）とは別体として設けられていてもよく、乱流発生部５５を有する部材が、保持部材５２（ひいては入射側偏光板５）とは別体として設けられていてもよい。すなわち、乱流発生部７４，５５は、保持部材７２，５２と一体化されていなくてもよい。
【００７７】
上記実施形態では、各凹部７４３の中心間距離は１ｍｍであり、当該交差部位Ｐ２に、凹部７４３は１９個形成されているとした。しかしながら、これに限らず、凹部７４３の数は、適宜変更してよい。換言すると、液晶パネル７の発熱量（仕様）に応じて、凹部７４３の数を適宜増減してよい。更に、各凹部７４３の寸法も適宜変更してよい。凹部５５４についても、同様である。
【００７８】
上記実施形態では、冷却対象の光学部品として、入射側偏光板５及び液晶パネル７を挙げ、これらが乱流発生部５５，７４を有するとした。しかしながら、これに限らず、乱流発生部は、入射側偏光板及び液晶パネルのいずれか一方のみが有する構成としてもよい。
また、液晶パネル７における冷却部位を、パネル本体７１の露出部位、すなわち、開口部７３１の内側の防塵部材７３２の配置部位とした。しかしながら、これに限らず、パネル本体７１の熱が伝導される保持部材７２の部位であれば、液晶パネル７における冷却部位はどこでもよい。入射側偏光板５においても、偏光板本体５１からの熱が伝導される部位であれば、冷却部位はどこでもよい。
更に、このような乱流発生部５５，７４と同様の乱流発生部を、他の冷却対象が備えていてもよい。例えば、所定の偏光方向の光を透過し、他の偏光方向の光を遮蔽する偏光素子としての出射側偏光板４６２と、入射される光の偏光方向を回転させる位相差素子と、光源装置４１及び光変調装置としての液晶パネルの間に配置されて入射される光の偏光方向を揃える偏光変換素子４３３との少なくともいずれかが、当該乱流発生部を有する構成としてもよい。また、冷却対象は、他の光学部品であってもよく、更には制御装置や電源装置等の光学部品以外の構成であってもよく、乱流発生部を備える電子機器もプロジェクターに限らず、他の電子機器でもよい。
【００７９】
上記実施形態では、プロジェクター１は、それぞれ光変調装置である３つの液晶パネル７（７Ｂ，７Ｇ，７Ｒ）を備えるとした。しかしながら、これに限らず、２つ以下、或いは、４つ以上の液晶パネルを備えたプロジェクターにも、本発明を適用可能である。
また、プロジェクター１は、光変調装置として、光入射面７ＳＡと光出射面７ＳＢとが異なる透過型の液晶パネル７を備えるとした。しかしながら、これに限らず、光入射面と光出射面とが同一となる反射型の液晶パネルを光変調装置として用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００８０】
上記実施形態では、画像投射装置４は、図３に示したように略Ｌ字状を有する構成とした。しかしながら、これに限らず、例えば略Ｕ字状等、他の形状を有する画像投射装置を採用してもよい。
上記実施形態では、光源装置４１は、発光管４１１及びリフレクター４１２を有する構成とした。しかしながら、これに限らず、光源装置は、固体光源であるＬＥＤ（Light Emitting Diode）を有する構成や、同じく固体光源であるＬＤ（Laser Diode）及び波長変換素子を有す構成としてもよい。また、光源装置の数は２つ以上でもよい。
【符号の説明】
【００８１】
１…プロジェクター、４１…光源装置、４２…画像形成装置、４３３…偏光変換素子（光学部品）、４６２…出射側偏光板（光学部品）、４８…投射光学装置、５…入射側偏光板（光学部品、偏光素子）、５１…偏光板本体（光学部品本体）、５１Ａ…光入射面（第２面）、５１Ｂ…光出射面（第１面、冷却部位）、５２…保持部材、５５…乱流発生部、５５１…第１傾斜面（傾斜面）、５５２…交差面、５５４…凹部、７（７Ｂ，７Ｇ，７Ｒ）…液晶パネル（光学部品、光変調装置）、７ＳＡ…光入射面（第１面）、７ＳＢ…光出射面（第２面）、７１…パネル本体（光学部品本体、冷却部位）、７２…保持部材、７３…入射側保持枠、７３１…開口部、７３２…防塵部材、７３３…突条、７４…乱流発生部、７４１…傾斜面、７４２…交差面、７４３…凹部、７５…出射側保持枠、８…冷却装置、ＥＰ１，ＥＰ２…延長面、ＦＰＣ…フレキシブルプリント基板、ＨＭ…第２支持部材、ＨＭ１…長孔、Ｐ１，Ｐ３…傾斜基点、Ｐ２，Ｐ４…交差部位。
【図１】
2017219784.tif 000003
【図２】
2017219784.tif 000004
【図３】
2017219784.tif 000005
【図４】
2017219784.tif 000006
【図５】
2017219784.tif 000007
【図６】
2017219784.tif 000008
【図７】
2017219784.tif 000009
【図８】
2017219784.tif 000010
【図９】
2017219784.tif 000011
【図１０】
2017219784.tif 000012
【図１１】
2017219784.tif 000013
【図１２】
2017219784.tif 000014
【図１３】
2017219784.tif 000015
【図１４】
2017219784.tif 000016
【図１５】
2017219784.tif 000017
【図１６】
2017219784.tif 000018